(57)【要約】      （修正有）【課題】米を投入した紙製米袋に装着される紙紐を環状に結束して該紙製米袋を軽快に携行できるようにする。【解決手段】紙製米袋に装着される紙紐は数ｃｍ幅を有し、且つ、手提げに適する長尺テープ状の紙シート２に形成され、且つ、該紙シート２の表面に接着剤が塗布され、更に、該表面の長手方向中心線上に沿って中心部折線３を設けると共に、直径１ｍｍ程度の細糸が装着され、該中心線の左側方向へ夫々左第１折線６、左第２折線７及び、左第３折線８を同一幅に順次設け、更に、該中心線の右側方向にも夫々右第１折線６ａ、右第２折線７ａ、及び右第３折線８ａを同一幅程度に順次設け、夫々の各折線を介して順次折曲接合し、更に、接着剤を介して両面から押圧し、全体が一体として幅５ｍｍ程度の長尺の紙紐が形成され、該紙紐が紙製米袋の開口部近傍の一側面幅方向へ装着して成ることを特徴とする紙製米袋。【選択図】図６
2017154741.tif 000002
【特許請求の範囲】
【請求項１】
紙紐が開口部位の一側面幅方向に装着されて成る紙製米袋に於いて、
該紙製米袋に装着される紙紐は数ｃｍ幅を有し、且つ、手提げに適する長尺テープ状の紙シートに形成され、且つ、該紙シートの表面に接着剤が塗布され、更に、該表面の長手方向中心線上に沿って中心部折線を設けると共に、該中心線の左側方向へ夫々左第１折線、左第２折線及び、左第３折線を同一幅に順次設け、更に、該中心線の右側方向にも夫々右第１折線、右第２折線、及び右第３折線を同一幅程度に順次設け、夫々の各折線を介して順次折曲接合し、更に、接着剤を介して両面から押圧し、全体が一体として幅５ｍｍ程度の長尺の紙紐が形成され、該紙紐が紙製米袋の開口部近傍の一側面幅方向へ装着して成ることを特徴とする紙製米袋。
【発明の詳細な説明】
【技術分野】
【０００１】
本発明は、紙製米袋に関するものであり、特に米が封入され、そして、紙製米袋に装着されている紙紐の端部を結束して環状に形成し、該紙紐を結束する際、及び、之を手にて把持して携行する時、封入された米の重量に充分耐え、且つ、手指に痛みを感じさせないように形成された紙紐が開口部近傍の一側面に装着された紙製米袋に関するものである。
【背景技術】
【０００２】
従来、紙製米袋の開口部一側面に紙紐が装着しており、且つ、米が封入された該紙製米袋を手で把持して携行する時、該紙製米袋に装着されている紙紐の両端部を結束して環状に形成し、そして、該環状に形成された紙紐を把持して携行できるようにした紙製米袋は公知である。
【０００３】
勿論、米が封入された紙製米袋は、米の封入後、該紙製米袋は上面開口部を閉塞して上方から３回程度折曲され、そして、内側に包含されている紙紐の両側部を引き上げ、更に引き上げられた紙紐の両端部を結束し、該紙紐を把持して携行できるように形成されることは当然である。
【０００４】
而して、前記紙紐は従来は単に幅が約２ｍｍ程度の紙製捻糸を３本乃至５本並列に揃え、接着剤を用いて之を両面から押圧して形成して成る紙紐を用いている。
【０００５】
又、従来、紙バンドを製造する時、紙テープを接着剤により貼り合わせて積層形状に形成した平紐状の紙バンドが知られている（例えば、特開２００８−２９７０１４参照）。
【０００６】
更に又、二枚の紙シートに撚りをかけ、更に、撚りをかけたものを偏平に形成した紙紐も知られている（例えば、特開２００３−１３７３３６参照）。
【先行技術文献】
【特許文献】
【０００７】
【特許文献１】特開２００８−２９７０１４
【特許文献２】特開２００３−１３７３３６
【発明の概要】
【発明が解決しようとする課題】
【０００８】
上記従来例であって、幅が２ｍｍ程度の紙製捻糸を３本乃至５本並列に並べ、それを接着剤を用いて両面から押圧して成る紙紐は、硬度が極めて高く、従って、この紙紐を装着した紙製米袋に米を投入し、そして、先ず、該紙紐を結束する際、及び、結束した紙紐を手にて把持し、之を携行する時に、手指に痛みを感じさせ、且つ、米の重量に耐え得ないという欠陥があった。
【０００９】
又、特許文献１及び特許文献２に記載された紙紐は新聞、雑誌等の梱包用としては適してとしても、紙製米袋用として之を用いる時は、該紙紐を結束する際に該紙紐が切損する虞があり、更に、該紙製米袋内に封入された米の重量に耐えて手提げ用として使用する紙紐としては強度が不足し、紙製米袋の開口部の上端面の幅方向一側面に装着される紙紐としては強度が不足し、全く携行動作に適するものではない。
【００１０】
そこで、米を封入した紙製米袋を該紙製米袋に装着されている紙紐を結束する際、及び、該結束した紙紐を把持して携行する時、手指に痛みを感じさせることなく、且つ、米の重量にも充分耐え得る紙紐が装着された紙製米袋を得るために解決せられるべき技術的課題が生じてくるのであり、本発明は該課題を解決することを目的とする。
【課題を解決するための手段】
【００１１】
本発明は、上記目的を達成するために提案されたものであり、請求項１記載の発明は、紙紐が開口部位の一側面幅方向に装着されて成る紙製米袋に於いて、該紙製米袋に装着される紙紐は数ｃｍ幅を有し、且つ、手提げに適する長尺テープ状の紙シートに形成され、且つ、該紙シートの表面に接着剤が塗布され、更に、該表面の長手方向中心線上に沿って中心部折線を設けると共に、該中心線の左側方向へ夫々左第１折線、左第２折線及び、左第３折線を同一幅程度に順次設け、更に、該中心線の右側方向にも夫々右第１折線、右第２折線、及び右第３折線を同一幅程度に順次設け、夫々の各折線を介して順次折曲接合し、更に、接着剤を介して両面から押圧し、全体が一体として幅５ｍｍ程度の長尺の紙紐が形成され、該紙紐が紙製米袋の開口部近傍の一側面幅方向へ装着して成ることを特徴とする紙製米袋を提供するものである。
【００１２】
この構成によれば、中心線の左右両側方の各紙シート部位が夫々の折線を介して折曲接合される。そして、最後に中心部折線を介して左右が結合され接着剤により全体が一体として形成される。
【発明の効果】
【００１３】
請求項１記載の発明は、紙シートに設けた各折線を介して折曲接合し、そして該紙シートの長手方向中心線に設けた中心部折線を最後に折曲して、左右を接合し、そして、接合した８層が全体として一体的に接着剤にて結合した時、厚みが約０．５ｍｍ程度、幅が５乃至７ｍｍ程度の極めて細線状の紙紐が形成され、該紙紐を結束する際、及び、該紙紐を把持して米が封入された紙製米袋を携行する時、手指に痛みを感じさせることはなく、軽快に米を封入した紙製米袋を携行することができる。
【図面の簡単な説明】
【００１４】
【図１】本発明に係る紙製米袋に装着される紙紐を形成する紙シートの平面図。
【図２】図１のＡ−Ａ線断面図であるが説明の都合上、図１の幅の約３倍長に図示されている。
【図３】左右夫々の第２折線を介して折曲接合された状態を示す平面図。
【図４】図３のＢ−Ｂ線断面図であるが、説明の都合上、図３の幅の約３倍長に図示されている。
【図５】図３に図示された状態から左右の夫々の第３折線及び第１折線を介して内側に折曲、接合された状態を示す平面図。
【図６】図５のＣ−Ｃ線断面図であるが、説明の都合上、図５の幅の約３倍長に図示されている
【図７】図５の状態から更に中心部折線を介して折曲された状態を示す平面図。
【図８】図７のＤ−Ｄ線断面図であるが、説明の都合上、幅及び厚み共に大きく図示されているが、実際は幅約５ｍｍ程度、厚み約０．５ｍｍ程度に形成されている。
【図９】本発明の紙製米袋の正面図。
【図１０】図９の状態から上端部を紙紐を包み込みながら１折した状態を示す正面図。
【図１１】図１０の状態から更に２折した状態を示す正面図。
【図１２】図１１の状態から更に３折した状態を示す正面図。
【図１３】図１１の状態であって、紙製米袋の上端部を紙紐が包み込まれながら３折され、そして、左右に突出している紙紐の端部を結束して手提げできるようにした状態を示す正面図。
【発明を実施するための形態】
【００１５】
本発明は、米を封入した紙製米袋に米を封入し、そして、該紙製米袋の上端部一側面に装着されている紙紐を結束し、該結束された該紙紐を把持して該紙製米袋を携行する時、該紙紐は米の重量に充分に耐えると共に、該紙紐を結束する際、及び、米が投入された紙製米袋の該紙紐を手にて把持して携行する時、手指に痛みを感じさせないようにすると言う目的を達成する為に紙紐が開口部位の一側面幅方向に装着されて成る紙製米袋に於いて、該紙製米袋に装着される紙紐は数ｃｍ幅を有し、且つ、手提げに適する長尺テープ状の紙シートに形成され、且つ、該紙シートの表面に接着剤が塗布され、更に、該表面の長手方向中心線上に沿って中心部折線を設けると共に、該中心線の左側方向へ夫々左第１折線、左第２折線及び、左第３折線を同一幅に順次設け、更に、該中心線の右側方向にも夫々右第１折線、右第２折線、及び右第３折線を同一幅程度に順次設け、夫々の各折線を介して順次折曲接合し、更に、接着剤を介して両面から押圧し、全体が一体として幅５ｍｍ程度の長尺の紙紐が形成され、該紙紐が紙製米袋の開口部近傍の一側面幅方向へ装着して成ることを特徴とする紙製米袋を提供することにより実現した。
【実施例】
【００１６】
以下、本発明の好適な一実施例を図１乃至１３に従って詳述する。
図１乃至図８は、本発明の主要部を示す紙紐１の構成を示す。而して、該紙紐１は、図１及び図２に示す如く、先ず、数ｃｍ幅（実施例では約４．５ｃｍ幅であるが、之に限定せられるべきではない）で長尺テープ状の紙シート２が用いられる。尚、該紙シート２の厚みは約０．５ｍｍ程度のものが使用されるが、之に限定せられるべきではない。
【００１７】
該紙シート２には表面は接着剤（図示せず）が塗布され、更に、長手方向中心線上に中心部折線３が設けられる。更に、該中心部折線３の左方向には左第１折線６、左第２折線７、及び左第３折線８が略同一幅に設けられると共に、該中心部折線３の右方向にも略同一幅の第１折線６ａ、第２折線７ａ、及び第３折線８ａが夫々設けられている。
図３及び図４に示す紙シート２は、左第２折線７及び右第２折線７ａを介して夫々内側に折曲接合された状態を示す。
【００１８】
図５及び図６は前記図３及び図４の状態から更に左第３折線８及び右第３折線８ａ並びに、左第１折線６及び右第１折線６ａを介して夫々内側へ折曲接合される。
図７及び図８は、前記図５及び図６の状態から再度中心部折線３を介して内側へ折曲し、接着剤を介して夫々一体的に接合されて本発明の要旨に係る紙紐１が形成される。而して、本実施例では該紙紐の幅は約７ｍｍ程度、厚みが約０．５ｍｍ程度に形成されるが勿論、之に限定されるべきではない。
【００１９】
而して、前記各折線を介して８層に折曲され、接着剤を介して押圧接合される紙紐１は、全体が一体として形成されるので、強度は増し、紙紐１の柔軟性は維持され、米を封入した紙製米袋５に装着した該紙紐１を先ず、結束する際、そして、結束された該紙紐１を手にて把持して携行する時、手指に痛みを感じさせることは一切なく、且つ、軽快に携行することが可能となる。
【００２０】
尚、図９乃至図１３は米屋で購入した米を紙製米袋に投入し、之を携行する際に於いて投入した紙製米袋の開口部を封止し、そして、紙紐１を結束して該紙製米袋５の携行に供し得るようにした図示例である。
【００２１】
図９は、上端開口部近傍に紙紐４を装着した紙製米袋５を示す。該紙製米袋５に米が投入され、之を携行する際には、図１０に示すように先ず第１鎖線Ｘ線部位（図９参照）から手前方向に折曲して開口部を封止し、それから図１１に示す如く、図９の第２鎖線Ｙ線部位から再度手前方向へ折曲する。
【００２２】
更に又、図１２に示す如く、第３鎖線Ｚ線部位（図９参照）から手前方向へ折曲して細糸４を包含する。斯くの如く、紙製米袋５に投入された米は該紙製米袋５の開口部近傍から３回に及んで巻回折曲されて紙紐１が内部に固定されるので、図１３に示す如く、中央部位が前記折曲動作によって固定された紙紐１の両側部を上方へ引き上げ、更に、両端部位を結束することにより紙紐１は環状に形成される。そこで、該紙紐１を把持して米が投入された紙製米袋５は軽快に携行されることができる。勿論、本発明の要旨に係る具体的構成の紙紐１以外は従来に於いても実施されている。
【００２３】
尚、本発明に係る細紐の形成に際して折曲される順序及び方法は上記実施例に限定されるものではなく、更に、本発明の精神を逸脱しない限り、種々の改変をなすことができ、そして、本発明が該改変されたものに及ぶことは当然である。
【産業上の利用可能性】
【００２４】
本発明の要旨に係る紙紐は紙製米袋に装着される以外にも新聞、雑誌類その他の梱包用として使用可能である。
【符号の説明】
【００２５】
１    紙紐
２    紙シート
３    中心部折線
４    細糸
５    紙製米袋
６    左第１折線
６ａ  右第１折線
７    左第２折線
７ａ  右第２折線
８    左第３折線
８ａ  右第３折線
Ｘ線  第１鎖線
Ｙ線  第２鎖線  
Ｚ線  第３鎖線
【図１】
2017154741.tif 000003
【図２】
2017154741.tif 000004
【図３】
2017154741.tif 000005
【図４】
2017154741.tif 000006
【図５】
2017154741.tif 000007
【図６】
2017154741.tif 000008
【図７】
2017154741.tif 000009
【図８】
2017154741.tif 000010
【図９】
2017154741.tif 000011
【図１０】
2017154741.tif 000012
【図１１】
2017154741.tif 000013
【図１２】
2017154741.tif 000014
【図１３】
2017154741.tif 000015